(57)【要約】【課題】蓄積文書のサムネイルに対する認証機能を共有することができ、文書管理ＤＢへの負荷を分散でき、リソースを浪費することなく蓄積文書のサムネイルを外部のネットワーク機器に供給できる画像形成装置および蓄積文書のサムネイル取得方法を提供することを目的とする。【解決手段】蓄積文書のサムネイルを供給する画像形成装置１であって、ネットワーク機器１００からのサムネイル取得要求に応じて証明情報を取得し、蓄積文書のサムネイルを複製した表示用サムネイルのサムネイル格納場所情報を取得してネットワーク機器に供給するＷｅｂページサービスと、証明情報を生成してＷｅｂページサービス１２２に送信する一方、証明情報に応じた表示用サムネイルのサムネイル格納場所情報を読み出してＷｅｂページサービスに送信する文書管理サービスとを有することにより上記課題を解決する。【選択図】　　　　図３
2004005475.tif 000002
【特許請求の範囲】
【請求項１】
文書蓄積手段に蓄積された蓄積文書のサムネイルをユーザからの要求に応じて供給する画像形成装置であって、
外部のネットワーク機器から蓄積文書のサムネイル取得要求を受信し、そのサムネイル取得要求に応じた証明情報を取得する一方、蓄積文書のサムネイルを複製した表示用サムネイルのサムネイル格納場所情報を、証明情報を利用して取得し、そのサムネイル格納場所情報を前記外部のネットワーク機器に供給するＷｅｂページサービスと、
サムネイル取得要求を受けたＷｅｂページサービスからの証明情報取得要求に応じた証明情報を生成して前記Ｗｅｂページサービスに送信する一方、証明情報に応じた表示用サムネイルのサムネイル格納場所情報を読み出して前記Ｗｅｂページサービスに送信する文書管理サービスと
を有することを特徴とする画像形成装置。
【請求項２】
前記Ｗｅｂページサービスは、前記サムネイル取得要求に応じた証明情報取得要求を前記文書管理サービスに送信して前記文書管理サービスから送信された証明情報を取得し、
前記文書管理サービスは、前記証明情報取得要求に応じた証明情報を生成して前記Ｗｅｂページサービスに送信することを特徴とする請求項１記載の画像形成装置。
【請求項３】
前記Ｗｅｂページサービスは、前記外部のネットワーク機器からサムネイル格納場所情報を受信し、そのサムネイル格納場所情報に応じた表示用サムネイルを前記文書管理サービスから取得して前記外部のネットワーク機器に供給することを特徴とする請求項１記載の画像形成装置。
【請求項４】
前記文書管理サービスは、前記Ｗｅｂページサービスからサムネイル格納場所情報を受信し、そのサムネイル格納場所情報に応じた表示用サムネイルを前記文書蓄積手段から読み出して前記Ｗｅｂページサービスに送信することを特徴とする請求項１記載の画像形成装置。
【請求項５】
前記文書管理サービスは、前記Ｗｅｂページサービスからサムネイル格納場所情報を受信し、そのサムネイル格納場所情報に応じた表示用サムネイルを前記文書蓄積手段から読み出して前記外部のネットワーク機器に供給することを特徴とする請求項１記載の画像形成装置。
【請求項６】
前記文書管理サービスは、前記Ｗｅｂページサービスからサムネイル格納場所情報を受信し、そのサムネイル格納場所情報に応じた表示用サムネイルを前記文書蓄積手段から読み出させて前記外部のネットワーク機器に供給させることを特徴とする請求項１記載の画像形成装置。
【請求項７】
前記サムネイル格納場所情報は、ＵＲＬ（Ｕｎｉｆｏｒｍ　ＲｅｓｏｕｒｃｅＬｏｃａｔｏｒ）であることを特徴とする請求項１乃至６何れか一項記載の画像形成装置。
【請求項８】
前記サムネイル取得要求は、少なくとも蓄積文書を識別する識別情報および前記蓄積文書の使用権限を証明する暗証情報を含むことを特徴とする請求項１乃至７何れか一項記載の画像形成装置。
【請求項９】
前記サムネイル取得要求は、少なくとも蓄積文書のサムネイルを識別する識別情報およびサムネイルの使用権限を証明する暗証情報を含むことを特徴とする請求項１乃至７何れか一項記載の画像形成装置。
【請求項１０】
前記文書管理サービスは、前記サムネイル取得要求を受けたＷｅｂページサービスからの証明情報取得要求に応じて証明情報の内容および識別情報を生成し、その識別情報を証明情報として前記Ｗｅｂページサービスに送信する一方、前記証明情報の内容を保持することを特徴とする請求項１乃至９何れか一項記載の画像形成装置。
【請求項１１】
前記文書管理サービスは、前記証明情報の識別情報に対応する前記保持された証明情報の内容を特定し、その証明情報の内容に応じたサムネイル格納場所情報を前記Ｗｅｂページサービスに送信することを特徴とする請求項１０記載の画像形成装置。
【請求項１２】
前記文書管理サービスは、証明情報の有効期限の終了に伴い表示用サムネイルを削除することを特徴とする請求項１乃至１１何れか一項記載の画像形成装置。
【請求項１３】
文書蓄積手段に蓄積された蓄積文書のサムネイルをユーザからの要求に応じて供給する画像形成装置のサムネイル取得方法であって、
Ｗｅｂページサービスが、外部のネットワーク機器から蓄積文書のサムネイル取得要求を受信し、そのサムネイル取得要求に応じた証明情報を文書管理サービスから取得する証明情報取得段階と、
前記Ｗｅｂページサービスが、蓄積文書のサムネイルを複製した表示用サムネイルのサムネイル格納場所情報を、証明情報を利用して取得し、そのサムネイル格納場所情報を前記外部のネットワーク機器に供給するサムネイル格納場所情報供給段階と
を有することを特徴とするサムネイル取得方法。
【請求項１４】
前記Ｗｅｂページサービスが、前記外部のネットワーク機器からサムネイル格納場所情報を受信し、そのサムネイル格納場所情報に応じた表示用サムネイルを前記文書管理手段から取得して前記外部のネットワーク機器に送信するサムネイル供給段階を更に有することを特徴とする請求項１３記載のサムネイル取得方法。
【請求項１５】
前記サムネイル供給段階は、前記文書管理サービスが、前記Ｗｅｂページサービスからサムネイル格納場所情報を受信し、そのサムネイル格納場所情報に応じた表示用サムネイルを前記文書蓄積手段から読み出して前記Ｗｅｂページサービスに送信することを特徴とする請求項１４記載のサムネイル取得方法。
【請求項１６】
前記Ｗｅｂページサービスが、前記外部のネットワーク機器からサムネイル格納場所情報を受信し、そのサムネイル格納場所情報に応じた表示用サムネイルを前記文書管理手段が前記文書管理手段から取得して前記外部のネットワーク機器に送信するサムネイル供給段階を更に有することを特徴とする請求項１３記載のサムネイル取得方法。
【請求項１７】
前記Ｗｅｂページサービスが、前記外部のネットワーク機器からサムネイル格納場所情報を受信し、そのサムネイル格納場所情報に応じた表示用サムネイルを前記文書管理手段が前記文書管理手段から読み出させて前記外部のネットワーク機器に供給させるサムネイル供給段階を更に有することを特徴とする請求項１３記載のサムネイル取得方法。
【請求項１８】
前記サムネイル格納場所情報は、ＵＲＬ（Ｕｎｉｆｏｒｍ　Ｒｅｓｏｕｒｃｅ　Ｌｏｃａｔｏｒ）であることを特徴とする請求項１３乃至１７何れか一項記載のサムネイル取得方法。
【請求項１９】
前記サムネイル取得要求は、少なくとも蓄積文書を識別する識別情報および前記蓄積文書の使用権限を証明する暗証情報を含むことを特徴とする請求項１３乃至１８何れか一項記載のサムネイル取得方法。
【請求項２０】
前記サムネイル取得要求は、少なくとも蓄積文書のサムネイルを識別する識別情報およびサムネイルの使用権限を証明する暗証情報を含むことを特徴とする請求項１３乃至１８何れか一項記載のサムネイル取得方法。
【請求項２１】
前記文書管理サービスが、前記サムネイル取得要求を受けたＷｅｂページサービスからの証明情報取得要求に応じて証明情報の内容および識別情報を生成し、その識別情報を証明情報として前記Ｗｅｂページサービスに送信する一方、前記証明情報の内容を保持することを特徴とする請求項１３乃至２０何れか一項記載のサムネイル取得方法。
【請求項２２】
前記文書管理サービスが、前記証明情報の識別情報に対応する前記保持された証明情報の内容を特定し、その証明情報の内容に応じたサムネイル格納場所情報を前記Ｗｅｂページサービスに送信することを特徴とする請求項２１記載のサムネイル取得方法。
【請求項２３】
前記文書管理サービスが、証明情報の有効期限の終了に伴い表示用サムネイルを削除することを特徴とする請求項１３乃至２２何れか一項記載のサムネイル取得方法。
【発明の詳細な説明】
【０００１】
【発明の属する技術分野】
本発明は、画像形成装置および蓄積文書のサムネイル取得方法に係り、特に蓄積文書のサムネイルを外部のネットワーク機器に供給するための画像形成装置および蓄積文書のサムネイル取得方法に関する。
【０００２】
【従来の技術】
近年、プリンタ，コピー，ファクシミリおよびスキャナなどの各装置の機能を１つの筐体内に収納した画像形成装置（以下、融合機という）が知られるようになった。この融合機は、１つの筐体内に表示部，印刷部および撮像部などを設けると共に、プリンタ，コピー，ファクシミリおよびスキャナにそれぞれ対応する４種類のソフトウェアを設け、そのソフトウェアを切り替えることより、プリンタ，コピー，ファクシミリおよびスキャナとして動作させるものである。特許文献１には、上記のような融合機の一例が記載されている。
【０００３】
このような融合機は、例えば文書管理データベース（以下、文書管理ＤＢという）に文書ファイルを蓄積文書として格納している。また、融合機は蓄積文書の画像見本としてサムネイル（Ｔｈｕｍｂｎａｉｌ）を文書管理ＤＢに格納している。サムネイルは、例えば蓄積文書の画像見本を小さく表示することで、蓄積文書の選択を容易にするものである。
【０００４】
融合機はネットワーク機器や他の融合機などにネットワークを介して接続されており、配信機能を利用して例えば文書管理ＤＢに格納している蓄積文書，サムネイルの配信を行う。なお、セキュリティ上の問題に対応するため、融合機は文書管理ＤＢに格納している蓄積文書，サムネイルにパスワードを設定することが多い。
【０００５】
例えば融合機から蓄積文書またはサムネイルをダウンロードする場合、ネットワーク機器は所望の蓄積文書またはサムネイルを識別するための文書ＩＤおよびその蓄積文書またはサムネイルの使用権限を証明するパスワードを融合機に送信する。
【０００６】
融合機はパスワード認証を行った後に、文書ＩＤに対応する蓄積文書またはサムネイルを文書管理ＤＢから読み出し、読み出した蓄積文書またはサムネイルをネットワーク機器に供給する。例えばネットワーク機器は、ブラウザ（Ｂｒｏｗｓｅｒ）を利用して融合機から蓄積文書またはサムネイルをダウンロードしていた。
【０００７】
【特許文献１】
特開２００２−８４３８３号公報
【０００８】
【発明が解決しようとする課題】
しかしながら、従来の融合機は蓄積文書やサムネイルの転送要求の他、蓄積文書やサムネイルに関する様々な処理要求をネットワーク機器や他の融合機から受信する。このため、融合機は蓄積文書やサムネイルに関する様々な処理要求に応じたユーザサービスのプロセスが設けられている。したがって、蓄積文書やサムネイルにパスワードが設定されている場合、蓄積文書またはサムネイルに関する様々な処理要求に応じたユーザサービスのプロセスごとにパスワード認証の機能を設ける必要があり、機能が重複するという問題があった。
【０００９】
また、融合機は文書管理ＤＢから読み出した蓄積文書またはサムネイルを複数のユーザサービスのプロセスで取り扱う場合、読み出した蓄積文書またはサムネイルをそのまま転送する。したがって、融合機のリソースを無駄に浪費しているという問題があった。
【００１０】
さらに、多くのネットワーク機器から蓄積文書またはサムネイルの転送要求が一度にあると、蓄積文書およびサムネイルを格納している文書管理ＤＢは負荷が大きくなるという問題があった。
【００１１】
本発明は、上記の点に鑑みなされたもので、蓄積文書のサムネイルに対する認証機能を共有することができ、文書管理ＤＢへの負荷を分散でき、リソースを浪費することなく蓄積文書のサムネイルを外部のネットワーク機器に供給できる画像形成装置および蓄積文書のサムネイル取得方法を提供することを目的とする。
【００１２】
【課題を解決するための手段】
そこで、上記課題を解決するため、本発明は、文書蓄積手段に蓄積された蓄積文書のサムネイルをユーザからの要求に応じて供給する画像形成装置であって、外部のネットワーク機器から蓄積文書のサムネイル取得要求を受信し、そのサムネイル取得要求に応じた証明情報を取得する一方、蓄積文書のサムネイルを複製した表示用サムネイルのサムネイル格納場所情報を、証明情報を利用して取得し、そのサムネイル格納場所情報を前記外部のネットワーク機器に供給するＷｅｂページサービスと、サムネイル取得要求を受けたＷｅｂページサービスからの証明情報取得要求に応じた証明情報を生成して前記Ｗｅｂページサービスに送信する一方、証明情報に応じた表示用サムネイルのサムネイル格納場所情報を読み出して前記Ｗｅｂページサービスに送信する文書管理サービスとを有することを特徴とする。
【００１３】
また、本発明は、文書蓄積手段に蓄積された蓄積文書のサムネイルをユーザからの要求に応じて供給する画像形成装置のサムネイル取得方法であって、Ｗｅｂページサービスが、外部のネットワーク機器から蓄積文書のサムネイル取得要求を受信し、そのサムネイル取得要求に応じた証明情報を文書管理サービスから取得する証明情報取得段階と、前記Ｗｅｂページサービスが、蓄積文書のサムネイルを複製した表示用サムネイルのサムネイル格納場所情報を、証明情報を利用して取得し、そのサムネイル格納場所情報を前記外部のネットワーク機器に供給するサムネイル格納場所情報供給段階とを有することを特徴とする。
【００１４】
本発明によれば、蓄積文書のサムネイルに対する認証を行った後でサムネイル取得要求に応じた証明情報を生成し、その証明情報をＷｅｂページサービスに送信することで、表示用サムネイルに対する認証機能を共有できる。ここで、表示用サムネイルとは、外部のネットワーク機器からのサムネイル取得要求に応じて作成されるサムネイルを複製した表示用のサムネイルである。
【００１５】
また、本発明によれば、蓄積文書のサムネイルを複製した表示用サムネイルのサムネイル格納場所情報を外部のネットワーク機器に供給することで、文書管理ＤＢへの負荷を分散できる。
【００１６】
さらに、本発明によれば、サムネイル取得要求に応じた証明情報をＷｅｂページサービス，文書管理サービスの間で転送させることで、表示用サムネイル自体を無駄に転送させる必要がなくなり、リソースを浪費することなく表示用サムネイルの供給が可能となる。
【００１７】
【発明の実施の形態】
次に、本発明の実施の形態について図面に基づいて説明する。
【００１８】
図１は、本発明による融合機の一実施例の構成図を示す。融合機１は、ソフトウェア群２と，融合機起動部３と，ハードウェア資源４とを含むように構成される。
【００１９】
融合機起動部３は融合機１の電源投入時に最初に実行され、アプリケーション層５およびプラットフォーム６を起動する。例えば融合機起動部３は、アプリケーション層５およびプラットフォーム６のプログラムをハードディスク装置（以下、ＨＤＤという）などから読み出し、読み出した各プログラムをメモリ領域に転送して起動する。ハードウェア資源４は、白黒レーザプリンタ（Ｂ＆Ｗ　ＬＰ）１１と，カラーレーザプリンタ（Ｃｏｌｏｒ　ＬＰ）１２と，スキャナやファクシミリなどのハードウェアリソース１３とを含む。
【００２０】
また、ソフトウェア群２は、ＵＮＩＸ（登録商標）などのオペレーティングシステム（以下、ＯＳという）上に起動されているアプリケーション層５とプラットフォーム６とを含む。アプリケーション層５は、プリンタ，コピー，ファックスおよびスキャナなどの画像形成にかかるユーザサービスにそれぞれ固有の処理を行うプログラムを含む。
【００２１】
アプリケーション層５は、プリンタ用のアプリケーションであるプリンタアプリ２１と，コピー用アプリケーションであるコピーアプリ２２と，ファックス用アプリケーションであるファックスアプリ２３と，スキャナ用アプリケーションであるスキャナアプリ２４と，ＷＥＢページ用アプリケーションであるＷＥＢページアプリ２５と，シンプル・オブジェクト・アクセス・プロトコル（以下、ＳＯＡＰという）通信用アプリケーションであるＳＯＡＰ通信アプリ２６と，１つ以上の共有ファンクション（以下、ＳＦという）２８からなる共有ファンクション層７と，ＷＥＢページアプリ２５及びＳＯＡＰ通信アプリ２６とＳＦ２８との間に設けられたＷＥＢサービスファンクション（以下、ＷＳＦという）２７からなるラッピング層８とを含む。
【００２２】
ＷＳＦ２７は、予め定義されている関数によりＷＥＢページアプリ２５およびＳＯＡＰ通信アプリ２６からの処理要求を受信可能とするアプリケーションプログラムインターフェース（以下、ＡＰＩという）５１を有する。また、ＳＦ２８は予め定義されている関数によりＷＳＦ２７からの処理要求を受信可能とするＡＰＩ５２を有する。
【００２３】
ＷＳＦ２７はＡＰＩ５１を介してＷＥＢページアプリ２５およびＳＯＡＰ通信アプリ２６からの処理要求を受信すると、その処理要求に応じてＳＦ２８を選択する。ＷＳＦ２７はＡＰＩ５１を介して受信した処理要求を、その処理要求に応じて選択したＳＦ２８にＡＰＩ５２を介して送信する。ＳＦ２８はＡＰＩ５２を介して処理要求を受信すると、その処理要求に応じた処理を行う。
【００２４】
例えば図１の融合機１は２つのＳＦ２８を含んでいるが、一方のＳＦ２８が後述する文書管理サービス１４３の処理を行い、他方のＳＦ２８が後述する文書出力サービス１４４の処理を行う。
【００２５】
また、プラットフォーム６は、アプリケーション層５からの処理要求を解釈してハードウェア資源４の獲得要求を発生するコントロールサービス層９と、１つ以上のハードウェア資源４の管理を行ってコントロールサービス層９からの獲得要求を調停するシステムリソースマネージャ（以下、ＳＲＭという）３９と、ＳＲＭ３９からの獲得要求に応じてハードウェア資源４の管理を行うハンドラ層１０とを含む。
【００２６】
コントロールサービス層９は、ネットワークコントロールサービス（以下、ＮＣＳという）３１，デリバリーコントロールサービス（以下、ＤＣＳという）３２，オペレーションパネルコントロールサービス（以下、ＯＣＳという）３３，ファックスコントロールサービス（以下、ＦＣＳという）３４，エンジンコントロールサービス（以下、ＥＣＳという）３５，メモリコントロールサービス（以下、ＭＣＳという）３６，ユーザインフォメーションコントロールサービス（以下、ＵＣＳという）３７，システムコントロールサービス（以下、ＳＣＳという）３８など、一つ以上のサービスモジュールを含むように構成されている。
【００２７】
なお、プラットフォーム６は予め定義されている関数により、アプリケーション層５からの処理要求を受信可能とするＡＰＩ５３を有するように構成されている。ＯＳは、アプリケーション層５およびプラットフォーム６の各ソフトウェアをプロセスとして並列実行する。
【００２８】
ＮＣＳ３１のプロセスは、ネットワークＩ／Ｏを必要とするアプリケーションに対して共通に利用できるサービスを提供するものであり、ネットワーク側から各プロトコルによって受信したデータを各アプリケーションに振り分けたり、各アプリケーションからのデータをネットワーク側に送信する際の仲介を行う。
【００２９】
例えばＮＣＳ３１は、ネットワークを介して接続されるネットワーク機器とのデータ通信をｈｔｔｐｄ（ＨｙｐｅｒＴｅｘｔ　Ｔｒａｎｓｆｅｒ　Ｐｒｏｔｏｃｏｌ　Ｄａｅｍｏｎ）により、ＨＴＴＰ（ＨｙｐｅｒＴｅｘｔ　Ｔｒａｎｓｆｅｒ　Ｐｒｏｔｏｃｏｌ）で制御する。
【００３０】
ＤＣＳ３２のプロセスは、蓄積文書の配信などの制御を行う。ＯＣＳ３３のプロセスは、オペレータと本体制御との間の情報伝達手段となるオペレーションパネルの制御を行う。ＦＣＳ３４のプロセスは、アプリケーション層５からＰＳＴＮまたはＩＳＤＮ網を利用したファックス送受信，バックアップ用のメモリで管理されている各種ファックスデータの登録／引用，ファックス読み取り，ファックス受信印刷などを行うためのＡＰＩを提供する。
【００３１】
ＥＣＳ３５のプロセスは、白黒レーザプリンタ１１，カラーレーザプリンタ１２，ハードウェアリソース１３などのエンジン部の制御を行う。ＭＣＳ３６のプロセスは、メモリの取得および解放，ＨＤＤの利用，画像データの圧縮および伸張などのメモリ制御を行う。ＵＣＳ３７は、ユーザ情報の管理を行う。
【００３２】
ＳＣＳ３８のプロセスは、アプリケーション管理，操作部制御，システム画面表示，ＬＥＤ表示，ハードウェア資源管理，割り込みアプリケーション制御などの処理を行う。
【００３３】
ＳＲＭ３９のプロセスは、ＳＣＳ３８と共にシステムの制御およびハードウェア資源４の管理を行うものである。例えばＳＲＭ３９のプロセスは、白黒レーザプリンタ１１やカラーレーザプリンタ１２などのハードウェア資源４を利用する上位層からの獲得要求に従って調停を行い、実行制御する。
【００３４】
具体的に、ＳＲＭ３９のプロセスは獲得要求されたハードウェア資源４が利用可能であるか（他の獲得要求により利用されていないかどうか）を判定し、利用可能であれば獲得要求されたハードウェア資源４が利用可能である旨を上位層に通知する。また、ＳＲＭ３９のプロセスは上位層からの獲得要求に対してハードウェア資源４を利用するためのスケジューリングを行い、要求内容（例えば、プリンタエンジンによる紙搬送と作像動作，メモリ確保，ファイル生成など）を直接実施している。
【００３５】
また、ハンドラ層１０は後述するファックスコントロールユニット（以下、ＦＣＵという）の管理を行うファックスコントロールユニットハンドラ（以下、ＦＣＵＨという）４０と、プロセスに対するメモリの割り振り及びプロセスに割り振ったメモリの管理を行うイメージメモリハンドラ（以下、ＩＭＨという）４１とを含む。ＳＲＭ３９およびＦＣＵＨ４０は、予め定義されている関数によりハードウェア資源４に対する処理要求を送信可能とするエンジンＩ／Ｆ５４を利用して、ハードウェア資源４に対する処理要求を行う。
【００３６】
融合機１は、各アプリケーションで共通的に必要な処理をプラットフォーム６で一元的に処理することができる。次に、融合機１のハードウェア構成について説明する。
【００３７】
図２は、本発明による融合機の一実施例のハードウェア構成図を示す。融合機１は、コントローラ６０と，オペレーションパネル８０と，ＦＣＵ８１と，エンジン部８２と，プロッタ８３を含む。
【００３８】
また、コントローラ６０は、ＣＰＵ６１と，システムメモリ６２と，ノースブリッジ（以下、ＮＢという）６３と，サウスブリッジ（以下、ＳＢという）６４と，ＡＳＩＣ６６と，ローカルメモリ６７と，ＨＤＤ６８と，ネットワークインターフェースコントローラ（以下、ＮＩＣという）６９と，ＵＳＢデバイス７０と，ＩＥＥＥ１３９４デバイス７１と，セントロニクス７２とを含む。
【００３９】
オペレーションパネル８０は、コントローラ６０のＡＳＩＣ６６に接続されている。また、ＦＣＵ８１，エンジン部８２およびプロッタ８３は、コントローラ６０のＡＳＩＣ６６にＰＣＩバス８４で接続されている。
【００４０】
コントローラ６０は、ＡＳＩＣ６６にローカルメモリ６７，ＨＤＤ６８などが接続されると共に、ＣＰＵ６１とＡＳＩＣ６６とがＣＰＵチップセットのＮＢ６３を介して接続されている。このように、ＮＢ６３を介してＣＰＵ６１とＡＳＩＣ６６とを接続すれば、ＣＰＵ６１のインターフェースが公開されていない場合に対応できる。
【００４１】
なお、ＡＳＩＣ６６とＮＢ６３とはＰＣＩバスを介して接続されているのでなく、ＡＧＰ（Ａｃｃｅｌｅｒａｔｅｄ　Ｇｒａｐｈｉｃｓ　Ｐｏｒｔ）６５を介して接続されている。このように、図１のアプリケーション層５やプラットフォーム６を形成する一つ以上のプロセスを実行制御するため、ＡＳＩＣ６６とＮＢ６３とを低速のＰＣＩバスでなくＡＧＰ６５を介して接続し、パフォーマンスの低下を防いでいる。
【００４２】
ＣＰＵ６１は、融合機１の全体制御を行うものである。ＣＰＵ６１は、ＮＣＳ３１，ＤＣＳ３２，ＯＣＳ３３，ＦＣＳ３４，ＥＣＳ３５，ＭＣＳ３６，ＵＣＳ３７，ＳＣＳ３８，ＳＲＭ３９，ＦＣＵＨ４０およびＩＭＨ４１をＯＳ上にそれぞれプロセスとして起動して実行させると共に、アプリケーション層５を形成するプリンタアプリ２１，コピーアプリ２２，ファックスアプリ２３，スキャナアプリ２４，ＷＥＢページアプリ２５，ＳＯＡＰ通信アプリ２６，ＷＳＦ２７およびＳＦ２８を起動して実行させる。
【００４３】
ＮＢ６３は、ＣＰＵ６１，システムメモリ６２，ＳＢ６４，ＡＳＩＣ６６，ＮＩＣ６９，ＵＳＢデバイス７０，ＩＥＥＥ１３９４デバイス７１およびセントロニクス７２を接続するためのブリッジである。ＳＢ６４，ＮＩＣ６９，ＵＳＢデバイス７０，ＩＥＥＥ１３９４デバイス７１およびセントロニクス７２は、ＰＣＩバス７３を介してＮＢ６３に接続されている。なお、ＳＢ６４は、ＮＢ６３とＲＯＭ，ＰＣＩバス，周辺デバイスとを接続するためのブリッジである。
【００４４】
システムメモリ６２は、融合機１の描画用メモリなどとして用いるメモリである。また、ローカルメモリ６７はコピー用画像バッファ，符号バッファとして用いるメモリである。
【００４５】
ＡＳＩＣ６６は、画像処理用のハードウェア要素を有する画像処理用途向けのＩＣである。ＨＤＤ６８は、画像データの蓄積，文書データの蓄積，プログラムの蓄積，フォントデータの蓄積，フォームの蓄積などを行うためのストレージである。また、オペレーションパネル８０は、オペレータからの入力操作を受け付けると共に、オペレータに向けた表示を行う操作部である。
【００４６】
ＮＩＣ６９は、融合機１をネットワークに接続するためのインターフェース機器である。ＵＳＢデバイス７０，ＩＥＥＥ１３９４デバイス７１およびセントロニクス７２は、夫々の規格に準じたインターフェースである。なお、ＦＣＵ８１はメモリを有している。ＦＣＵ８１が有するメモリは、例えば融合機１の電源がＯＦＦのときに受信したファクシミリデータを一時的に格納するために利用される。
【００４７】
以下、融合機１により実現される蓄積文書のサムネイル取得方法について図面を参照しつつ順次説明していく。図３は、本発明による第１実施例のサムネイル取得方法について説明するための融合機の機能構成図を示す。なお、図３の機能構成図は説明に必要のない機能構成を省略している。
【００４８】
図３に表されるように、本発明のサムネイル取得方法は融合機１にインターネットなどのネットワーク２００を介して接続されるネットワーク機器１００が、融合機１に蓄積されている文書ファイル（以下、蓄積文書という）のサムネイルを取得するものである。
【００４９】
まず、ネットワーク機器１００のブラウザ１２０は融合機１に蓄積されている蓄積文書のリストおよび文書ＩＤを例えばＨＴＴＰリクエストおよびＨＴＴＰレスポンスを用いて融合機１から入手しているものとする。ネットワーク機器１００を操作するユーザは蓄積文書のサムネイルの取得にパスワードの入力が必要であればパスワードを入力すると共に、ブラウザ１２０の画面上に設けられたサムネイルを取得するためのボタンをマウス等でクリックする。なお、ユーザはブラウザ１２０の画面上に表示されている蓄積文書のリストから全部または一部の蓄積文書を選択し、選択した蓄積文書のサムネイルを取得するようにしてもよい。
【００５０】
ステップＳ１では、ネットワーク機器１００のブラウザ１２０が、蓄積文書の文書ＩＤおよびパスワードを含むＨＴＴＰリクエストを作成し、インターネットなどのネットワーク２００を介して融合機１に送信する。ネットワーク機器１００から送信されたＨＴＴＰリクエストは、ＮＣＳ３１のｈｔｔｐｄ１２１を介してＷｅｂページサービス１２２に供給される。
【００５１】
ステップＳ１に続いてステップＳ２に進み、Ｗｅｂページサービス１２２は文書管理サービス１２３に蓄積文書の文書ＩＤおよびパスワードを送信し、後述するチケット１２４の取得要求を行う。チケット取得要求は、例えば蓄積文書の文書ＩＤおよびパスワードを引数としたチケット取得関数「ｂａｓｅ６４Ｂｉｎａｒｙ　ｇｅｔＤｏｃＴｉｃｋｅｔ（ｕｎｓｉｇｎｅｄ　ｉｎｔ［］　ｄｏｃＩｄ，　ｓｔｒｉｎｇ［］　ｐａｓｓｗｏｒｄ）」を用いて行う。
【００５２】
文書管理サービス１２３は、文書管理アプリ３８に含まれる。ステップＳ２に続いてステップＳ３に進み、文書管理サービス１２３は受信した蓄積文書の文書ＩＤおよびパスワードをＭＣＳ３６に送信し、パスワードの認証要求を行う。パスワード認証要求は、例えば文書ごとに蓄積文書の文書ＩＤおよびパスワードを引数としたパスワード認証要求関数「ｉｎｔ　ｍｃｓＣｈｅｃｋＰａｓｓｗｏｒｄ（ｕｎｓｉｇｎｅｄＩｎｔ　ＤｏｃＩｄ，　ｓｔｒｉｎｇ　ｐａｓｓｗｏｒｄ）」を用いて行う。
【００５３】
ＭＣＳ３６は、文書管理サービス１２３から受信したパスワードのパスワード認証を行う。ステップＳ４では、ＭＣＳ３６が、パスワード認証の結果を文書管理サービス１２３に送信する。パスワード認証の結果は、例えばパスワード認証要求関数の返り値としてＭＣＳ３６から文書管理サービス１２３に送信される。
【００５４】
パスワードが認証されると、文書管理サービス１２３は図４に表すようなチケットを生成する。図４は、チケットについて説明するための説明図を示す。図４（Ａ）はＷｅｂページサービス１２２と文書管理サービス１２３との間で転送されるチケット１２４の構造体である。チケット１２４は、チケットＩＤ，チケットのデータサイズが格納されている。
【００５５】
また、図４（Ｂ）はチケット１２４を照合するための表１２６である。表１２６は文書管理サービス１２３により保持される。表１２６は、チケット内容情報およびチケット管理情報を含む。チケット内容情報は、チケットＩＤ，チケットの有効期限，ファイル数，文書ＩＤとしてのファイルＩＤとパスワードとが組になった構造体の配列を情報として有している。また、チケット管理情報はカレントのチケット番号，発行チケット数を情報として有している。なお、チケット１２４と表１２６とはチケットＩＤにより関連付けられている。
【００５６】
ステップＳ５では、文書管理サービス１２３が、生成したチケット１２４をＷｅｂページサービス１２２に送信する。チケット１２４は、例えばチケット取得関数の返り値として文書管理サービス１２３からＷｅｂページサービス１２２に送信される。
【００５７】
ステップＳ５に続いてステップＳ６に進み、Ｗｅｂページサービス１２２はステップＳ５で受信したチケット１２４を文書管理サービス１２３に送信し、ネットワーク機器１００のブラウザ１２０に表示させるための表示用サムネイルの生成要求を行う。表示用サムネイル生成要求は、例えばチケット１２４を引数とした表示用サムネイル生成関数「ａｎｙＵＲＬ　ｃｒｅａｔｅＴｈｕｍｂｎａｉｌ（ｂａｓｅ６４Ｂｉｎａｒｙ　ｔｉｃｋｅｔ）」を用いて行う。
【００５８】
ステップＳ６に続いてステップＳ７に進み、文書管理サービス１２３は、受信したチケット１２４の有効性を表１２６を用いて確認し、チケット１２４が有効であればチケット１２４に含まれる文書ＩＤをＭＣＳ３６に送信し、その文書ＩＤに対応する蓄積文書のサムネイルファイルのオープンを要求する。サムネイルファイルのオープン要求は、例えば文書ＩＤを引数としたサムネイルオープン関数「ｂｏｏｌｅａｎ　ｍｃｓＯｐｅｎＰａｇｅ（ｕｎｓｉｇｎｄＩｎｔ　ＤｏｃＩｄ）」を用いて行う。
【００５９】
サムネイルファイルがオープンした後、文書管理サービス１２３は文書ＩＤに対応する蓄積文書のサムネイルを複製した表示用サムネイルを生成する。表示用サムネイルは、例えばシステムメモリ６２，ローカルメモリ６７またはＨＤＤ６８などに格納される。表示用サムネイルを文書管理ＤＢ以外に格納すると、文書管理ＤＢの負荷が軽減される。
【００６０】
そして、文書管理サービス１２３は表示用サムネイルの格納場所を表すＵＲＬ（以下、サムネイルＵＲＬという）を作成する。サムネイルＵＲＬは、「ｈｔｔｐ：／／［装置のＩＰアドレス］／［文書ファイル名］？［チケットのデータ］」のように表される。
【００６１】
ステップＳ７に続いてステップＳ８に進み、文書管理サービス１２３は作成したサムネイルＵＲＬをＷｅｂページサービス１２２に送信する。例えばサムネイルＵＲＬは、表示用サムネイル生成関数の返り値として文書管理サービス１２３からＷｅｂページサービス１２２に送信される。
【００６２】
ステップＳ８に続いてステップＳ９に進み、Ｗｅｂページサービス１２２はステップＳ８で受信したサムネイルＵＲＬをＮＣＳ３１のｈｔｔｐｄ１２１を介してネットワーク機器１００に送信する。
【００６３】
ステップＳ９に続いてステップＳ１０に進み、ネットワーク機器１００のブラウザ１２０はサムネイルＵＲＬを含むＨＴＴＰリクエストを作成し、ネットワーク２００を介して融合機１に送信する。
【００６４】
なお、サムネイルＵＲＬを含むＨＴＴＰリクエストは、ＨＴＴＰのＧＥＴメソッドでサムネイルＵＲＬにリクエストを行うものである。ネットワーク機器１００から送信されたＨＴＴＰリクエストは、ＮＣＳ３１のｈｔｔｐｄ１２１を介してＷｅｂページサービス１２２に供給される。
【００６５】
ステップＳ１０に続いてステップＳ１１に進み、Ｗｅｂページサービス１２２は文書管理サービス１２３にサムネイルＵＲＬを送信し、サムネイルの取得要求を行う。サムネイル取得要求は、例えばサムネイルＵＲＬを引数としたサムネイル取得関数「ｖｏｉｄ　ｇｅｔＴｈｕｍｂｎａｉｌ（ａｎｙＵＲＬ　ｄｏｃＩＤ）」を用いて行う。
【００６６】
ステップＳ１１に続いてステップＳ１２に進み、文書管理サービス１２３はサムネイルＵＲＬに対応する表示用サムネイルのサムネイルＩＤをＭＣＳ３６に送信し、サムネイルファイルのオープンを要求する。サムネイルファイルのオープン要求は、例えばサムネイルＩＤを引数としたサムネイルオープン関数「ｂｏｏｌｅａｎ　ｍｃｓＯｐｅｎＴｈｕｍｂｎａｉｌ（ｕｎｓｉｇｎｅｄＩｎｔ　ｔｈｕｍｂｎａｉｌＩＤ）」を用いて行う。
【００６７】
ステップＳ１２に続いてステップＳ１３に進み、ＭＣＳ３６は文書管理サービス１２３から受信したサムネイルＩＤを用いてシステムメモリ６２，ローカルメモリ６７またはＨＤＤ６８などからサムネイルＩＤに対応する表示用サムネイルを読み出し、その表示用サムネイルを文書管理サービス１２３に送信する。サムネイルＩＤに対応する表示用サムネイルは、例えばサムネイルオープン関数の返り値として、ＭＣＳ３６から文書管理サービス１２３に送信される。
【００６８】
ステップＳ１３に続いてステップＳ１４に進み、文書管理サービス１２３はＭＣＳ３６から受信した表示用サムネイルをＷｅｂページサービス１２２に送信する。表示用サムネイルは、例えばサムネイル取得関数の返り値として、文書管理サービス１２３からＷｅｂページサービス１２２に送信される。
【００６９】
ステップＳ１４に続いてステップＳ１５に進み、Ｗｅｂページサービス１２２は文書管理サービス１２３から受信した表示用サムネイルをＮＣＳ３１のｈｔｔｐｄ１２１を介してネットワーク機器１００に送信する。
【００７０】
そして、ネットワーク機器１００は融合機１から取得した表示用サムネイルをブラウザ１２０の画面上に表示する。なお、文書管理サービス１２３は生成した表示用サムネイルをチケット１２４の有効期限が終了した後で削除する。表示用サムネイルの削除は、例えばサムネイルＩＤを引数とした表示用サムネイル削除関数「ｖｏｉｄ　ｍｃｓＤｅｌｅｔｅＴｈｕｍｂｎａｉｌ（ｕｎｓｉｇｎｅｄＩｎｔ　ｔｈｕｍｂｎａｉｌＩｄ）」を用いて行う。
【００７１】
したがって、ユーザはネットワーク機器１００のブラウザ１２０を操作することにより、融合機１に蓄積されている蓄積文書の表示用サムネイルを容易に取得することができる。なお、融合機１ではチケット１２４を利用することで表示用サムネイルのデータ自体を無駄に転送することがなくなり、リソースの浪費を防ぐことが可能となる。
【００７２】
図５は、本発明による第２実施例のサムネイル取得方法について説明するための融合機の機能構成図を示す。なお、図５の機能構成図は説明に必要のない機能構成を省略している。また、図５のステップＳ１〜Ｓ１３の処理は図３のステップＳ１〜Ｓ１３の処理と同様であるため、説明を省略する。
【００７３】
ステップＳ１３に続いてステップＳ１６に進み、文書管理サービス１２３はステップＳ１３の処理でＭＣＳ３６から受信した表示用サムネイルをＮＣＳ３１のｈｔｔｐｄ１２１を介してネットワーク機器１００に送信する。
【００７４】
そして、ネットワーク機器１００は融合機１から取得した表示用サムネイルをブラウザ１２０の画面上に表示する。なお、文書管理サービス１２３は生成した表示用サムネイルをチケット１２４の有効期限が終了した後で削除する。
【００７５】
したがって、ユーザはネットワーク機器１００のブラウザ１２０を操作することにより、融合機１に蓄積されている蓄積文書の表示用サムネイルを容易に取得することができる。なお、融合機１ではチケット１２４を利用することで表示用サムネイルのデータ自体を無駄に転送することがなくなり、リソースの浪費を防ぐことが可能となる。
【００７６】
図６は、本発明による第３実施例のサムネイル取得方法について説明するための融合機の機能構成図を示す。なお、図６の機能構成図は説明に必要のない機能構成を省略している。また、図６のステップＳ１〜Ｓ１２の処理は図３のステップＳ１〜Ｓ１２の処理と同様であるため、説明を省略する。
【００７７】
ステップＳ１２に続いてステップＳ１７に進み、ＭＣＳ３６は文書管理サービス１２３から受信したサムネイルＩＤを用いてＨＤＤ６８などからサムネイルＩＤに対応する表示用サムネイルを読み出し、その表示用サムネイルをＮＣＳ３１のｈｔｔｐｄ１２１を介してネットワーク機器１００に送信する。
【００７８】
そして、ネットワーク機器１００は融合機１から取得した表示用サムネイルをブラウザ１２０の画面上に表示する。なお、文書管理サービス１２３は生成した表示用サムネイルをチケット１２４の有効期限が終了した後で削除する。
【００７９】
したがって、ユーザはネットワーク機器１００のブラウザ１２０を操作することにより、融合機１に蓄積されている蓄積文書の表示用サムネイルを容易に取得することができる。なお、融合機１ではチケット１２４を利用することで表示用サムネイルのデータ自体を無駄に転送することがなくなり、リソースの浪費を防ぐことが可能となる。
【００８０】
本発明は上記の実施例に限定されるものではなく、本発明の範囲内で種々の変形や変更が可能である。
【００８１】
【発明の効果】
上述の如く、本発明によれば、蓄積文書のサムネイルに対する認証を行った後でサムネイル取得要求に応じた証明情報を生成し、その証明情報をＷｅｂページサービスに送信することで、表示用サムネイルに対する認証機能を共有できる。
【００８２】
また、本発明によれば、蓄積文書のサムネイルを複製した表示用サムネイルのサムネイル格納場所情報を外部のネットワーク機器に供給することで、文書管理ＤＢへの負荷を分散できる。
【００８３】
さらに、本発明によれば、サムネイル取得要求に応じた証明情報をＷｅｂページサービス，文書管理サービスの間で転送させることで、表示用サムネイル自体を無駄に転送させる必要がなくなり、リソースを浪費することなく表示用サムネイルの供給が可能となる。
【００８４】
【図面の簡単な説明】
【図１】本発明による融合機の一実施例の構成図である。
【図２】本発明による融合機の一実施例のハードウェア構成図である。
【図３】本発明による第１実施例のサムネイル取得方法について説明するための融合機の機能構成図である。
【図４】チケットについて説明するための説明図である。
【図５】本発明による第２実施例のサムネイル取得方法について説明するための融合機の機能構成図である。
【図６】本発明による第３実施例のサムネイル取得方法について説明するための融合機の機能構成図である。
【符号の説明】
１　　融合機
２　　ソフトウェア群
３　　融合機起動部
４　　ハードウェア資源
５　　アプリケーション層
６　　プラットフォーム
７　　共有ファンクション層
８　　ラッピング層
９　　コントロールサービス層
１０　　ハンドラ層
３１　　ネットワークコントロールサービス（ＮＣＳ）
３６　　メモリコントロールサービス
６０　　コントローラ
８０　　オペレーションパネル
８１　　ファックスコントロールユニット（ＦＣＵ）
８２　　エンジン部
８３　　プロッタ
１００　　ネットワーク機器
１２０　　ブラウザ
１２１　　ｈｔｔｐｄ（ＨｙｐｅｒＴｅｘｔ　Ｔｒａｎｓｆｅｒ　Ｐｒｏｔｏｃｏｌ　Ｄａｅｍｏｎ）
１２２　　Ｗｅｂページサービス
１２３　　文書管理サービス
１２４　　チケット
１２６　　表
【図１】
2004005475.tif 000003
【図２】
2004005475.tif 000004
【図３】
2004005475.tif 000005
【図４】
2004005475.tif 000006
【図５】
2004005475.tif 000007
【図６】
2004005475.tif 000008